(57)【要約】【課題】光ファイバの破断を防ぐことができる光モジュールを提供する。【解決手段】溝１４ａがファイバユニット搭載部１６から凹面ミラー６に向かって傾斜しているので、光ファイバ２３を溝１４ａに収容した状態で下部保持基板２１を凹部１６ａに搭載させると、光ファイバ２３が撓むことによる弾性力によって光ファイバ２３が１４ａ溝側に押圧されるので、接着剤等を用いなくても、光ファイバ２３を溝ａ内部に配設することができる。このため、温度変化により溝１４ａと光ファイバ２３の相対的な長さ等が変化しても、光ファイバ２３が溝１４ａに沿って摺動できるため、接着剤で溝１４ａと光ファイバ２３を固定する従来のように溝１４ａの膨張に伴って光ファイバ２３に引っ張り力がかからないので、光ファイバ２３が破断することを防ぐことができる【選択図】  図１１
2008090137.tif 000002
【特許請求の範囲】
【請求項１】
光ファイバを保持する保持基板と、
前記保持基板を搭載する搭載部と、この搭載部に前記保持基板を搭載した状態で、前記保持基板から所定量はみ出した前記光ファイバの端部を収容する溝とを備えた光素子ブロックと、
前記搭載部と前記溝を挟んで反対側に設けられ、前記溝に収容された前記光ファイバの軸線上に位置する光素子と
を備え、
前記溝の軸線と前記光ファイバの前記保持基板に保持された部分の軸線とは、前記溝が開口した方向で一致し、この開口した方向および前記溝の軸線方向に対して直交する方向で交差する
ことを特徴とする光モジュール。
【請求項２】
前記光素子ブロックは、前記搭載部に搭載された保持基板を、前記搭載部側に押圧するガイド部をさらに備える
ことを特徴とする請求項１記載の光モジュール。
【発明の詳細な説明】
【技術分野】
【０００１】
本発明は、光モジュールに関し、特に、互いに平行に整列された複数の光ファイバを用いて光信号の入出射を行う光モジュールに関するものである。
【背景技術】
【０００２】
通常、光合分波器や光スプリッタなどの複数の光を入出力する光モジュールでは、複数の光ファイバが並べて光モジュールに固定される。この光モジュールにおいて、テープ型光ファイバではなく、複数の単芯光ファイバを用いる場合には、光モジュールに複数のＶ溝を形成しておき、これらのＶ溝に当該光ファイバをはめ込むことにより光ファイバを固定することが多い。このような光モジュールの一例として、従来の光合分波器の一例を図１５、図１６に示す（例えば特許文献１参照。）。この光合分波器は、ミラーアレイブロック１００と、反射面が形成された導波ミラーブロック１１０と、光線分岐素子１２１を有するフィルタブロック１２０と、光ファイバ１３０から構成される。
【０００３】
ミラーアレイブロック１００は、板状基板の表面において、３つの基板端部に形成された側壁部１０１ａ、１０１ｂ、１０１ｃと、側壁部１０１ａが形成された基板端部に当該側壁部１０１ａに沿って形成された傾斜面１０２と、このＶ溝１０２を構成する一方の傾斜面１０２ａにおいてＶ溝１０２の直線軸方向に沿って配列して形成された凹面ミラー１０３と、Ｖ溝１０２の直線軸方向と垂直で、かつ、凹面ミラー１０３と対向してＶ溝１０２に繋がるように形成された複数の直線状のＶ溝１０４とから構成される。側壁部１０１ｂおよび側壁部１０１ｃには、導波ミラーブロック１１０を保持する傾斜面１０５およびフィルタブロック１２０を保持する傾斜面１０６が形成されている。
【０００４】
このような合分波器は、Ｖ溝１０４上に光ファイバ１３０を搭載して接着固定し、ミラーブロック１１０とフィルタブロック１２０をミラーアレイブロック１００に固定することにより作製される。このとき、光ファイバ１３０の凹面ミラー１０３と対向する端部は、凹面ミラー１０３と所定の距離になるよう配設される。
【０００５】
【特許文献１】特開２００５−２７４７０２号公報
【発明の開示】
【発明が解決しようとする課題】
【０００６】
しかしながら、従来の光合分波器において、Ｖ溝１０２が形成されたミラーアレイブロック１００は、複雑な立体形状を有するため、光ファイバと熱膨張係数が近いガラスやシリコンなどではなく成形性がよい樹脂材料により作成される。この樹脂材料は光ファイバよりも熱膨張係数が大きいため、光合分波器の温度変化時には、Ｖ溝部分と光ファイバとの熱膨張の度合いが異なってしまう。このため、光ファイバとＶ溝とを固定後、温度上昇によってＶ溝部が熱膨張すると、樹脂より熱膨張の小さい光ファイバに引っ張り応力がかかり係り、光ファイバがＶ溝内で破断しまうことがあった。
【０００７】
そこで、本発明は、光ファイバの破断を防ぐことができる光モジュールを提供することを目的とする。
【課題を解決するための手段】
【０００８】
上述したような課題を解消するために、本発明に係る光モジュールは、光ファイバを保持する保持基板と、保持基板を搭載する搭載部とこの搭載部に保持基板を搭載した状態で、保持基板から所定量はみ出した光ファイバの端部を収容する溝とを備えた光素子ブロックと、搭載部と溝を挟んで反対側に設けられ、溝に収容された光ファイバの軸線上に位置する光素子とを備え、溝の軸線と光ファイバの保持基板に保持された部分の軸線とは、溝が開口した方向で一致し、この開口した方向および溝の軸線方向に対して直交する方向で交差することを特徴とする。
【０００９】
上記光モジュールにおいて、光素子ブロックは、搭載部に搭載された保持基板を、搭載部側に押圧するガイド部をさらに備えるようにしてもよい。
【発明の効果】
【００１０】
本発明によれば、溝の軸線と光ファイバの保持基板に保持された部分の軸線とは、溝が開口した方向で一致し、この開口した方向および溝の軸線方向に対して直交する方向で交差するので、光ファイバを溝に収容した状態で保持基板を搭載部に搭載させると、光ファイバが撓むことによる弾性力によって光ファイバが溝側に押圧されるので、接着剤等を用いなくても、光ファイバを溝内部に配設することができる。このため、温度変化により溝と光ファイバの相対的な長さ等が変化しても、光ファイバが溝に沿って摺動できるため、接着剤で溝と光ファイバを固定する従来のように溝の膨張に伴って光ファイバに引っ張り力がかからないので、光ファイバが破断することを防ぐことができる。また、光モジュールの組み立て時に、光ファイバを溝に接着材により固定しなくてよいので、この接着工程が不要になり、組み立てが容易になる。
【発明を実施するための最良の形態】
【００１１】
以下、図面を参照して、本発明の実施の形態について詳細説明する。
【００１２】
［第１の実施の形態］
まず、本発明の第１の実施の形態について説明する。本実施の形態は、光モジュールの一例として光合分波器について説明する。図１〜図３に示すように、本実施の形態に係る光合分波器は、メインブロック１と、このメインブロック１上に搭載されるファイバユニット２と、メインブロック１に固定され反射素子４２が形成された導波ミラーブロック４と、メインブロック１に固定され光線分岐素子５２を有するフィルタブロック５とから構成される。このような光合分波器の各構成要素は、例えば、金属や樹脂などから構成される。
【００１３】
＜メインブロック１＞
メインブロック１は、図１〜図５に示すように、板状の基部１１と、この基部１１の端部に形成された３つの側壁部１２ａ，１２ｂ，１２ｃとを備えている。ここで、側壁部１２ｂと側壁部１２ｃとは、対向して形成されている。また、側壁部１２ａのメインブロック内部側面、すなわち基部１１に隣接する側面には、反射集光素子として機能する複数の凹面ミラー６が形成されている。
【００１４】
基部１１上には、側壁部１２ａ側から側壁部１２ａと対向する端部に向かう順番に、側壁部１２ａ側に傾斜した平面からなる平面部１３と、断面略Ｖ字状の形状を有し側壁部と平行な複数の溝１４ａが形成された溝形成部１４と、基部１１側に掘り込まれた平面視略矩形の凹部１６ａを有するファイバユニット搭載部１６とが形成されている。
【００１５】
ここで、溝形成部１４は、図４によく示されるように、上方すなわち基部１１の上面（側壁部１２ａ，１２ｂ、１２ｃが設けられた面）側に位置する凹面ミラー６や平面部１３の方向から、下方すなわち基部１１の下面側に位置するファイバユニット搭載部１６に向けてテーパ状に傾斜している。
【００１６】
また、ファイバユニット搭載部１６は、隣接する溝形成部１４の端部から基部１１側に掘り込まれた凹部１６ａと、この凹部１６ａと基部１１の側壁部１２ａ〜１２ｃが設けられていない端部との間に形成された平面部１６ｂと、凹部１６ａに隣接する側壁部１２ｂ、１２ｃに形成され対向する側壁部１２ｂ，１２ｃ側に突出したガイド部１６ｃとを有する。このガイド部１６ｃは、溝形成部１４側の端部が凹部１６ａの溝形成部１４と隣接する前端面１６ｄに沿いかつ凹部１６ａの上方に所定距離離間した位置に設けられ、凹部１６ａと対向する面（以下、傾斜面という）１６ｆが溝形成部１４側の端部から平面部１６ｂ側にかけて下方から上方へ傾斜している。
【００１７】
対向する側壁部１２ｂ,１２ｃには、基部１１の上面に対して略垂直のミラーブロック保持部１７およびフィルタブロック保持部１８が形成されている。ミラーブロック保持部１７は、ガイド部１６ｃおよびフィルタブロック保持部１８よりも凹面ミラー６側に形成されている。ミラーブロック保持部１７には、側壁部１２ｂ，１２ｃの両側に２個ずつ導波ミラーブロック４を位置決めするための突起１７ａが形成されている。同様に、ミラーブロック保持部１８には、側壁部１２ｂ，１２ｃの両側に２個ずつミラーブロック５を位置決めするための突起１８ａが形成されている。
【００１８】
＜ファイバユニット２＞
ファイバユニット２は、図６に示すように、上面に互いに平行な複数の溝２１ａが形成された下部保持基板２１と、下面に互いに平行な複数の溝２２ａが形成された上部保持基板２２と、下部保持基板２１および上部保持基板２２により互いに平行に固定された複数の光ファイバと２３を備える。ここで溝２１ａ，２２ａは、メインブロック１の溝形成部１４に形成された溝１４ａと同じピッチで形成される。
【００１９】
＜導波ミラーブロック４＞
導波ミラーブロック４は、図７に示すように、平面視略凹字状の板の形状を有する支持部４１と、この支持部４１の一方の面（以下、ミラー面という）４１ａにアレイ状に形成された複数の反射素子４２とを有する。また、支持部４１のミラー面４１ａと反対側の面（以下、接着面という）４１ｂには、組み立ての際に導波ミラーブロック４を保持するための突起４３が形成されている。
【００２０】
＜フィルタブロック５＞
フィルタブロック５は、図８に示すように、平面視略矩形の板の形状を有する支持部５１と、この支持部５１の一方の面にアレイ状に形成された複数の光線分岐素子５２とを備える。この光線分岐素子５２は、支持部５１の光線が通過する部分にアレイ状に形成された複数の孔５３を塞ぐように配設される。光線分岐素子５２は、ガラス基板上に誘電多層膜を蒸着することにより形成される。
【００２１】
［光合分波器の動作］
次に、このような光合分波器の分波器としての動作原理について、図９，図１０を参照して説明する。なお、図９，図１０は、説明を容易にするため、図１〜図８に示した光合分波器を模式的に示している。
【００２２】
光合分波器の外部から入力された波長多重光線は、光ファイバ２３−１を伝播し、光合分波器内部に導かれ、凹面ミラー６−１に対してやや拡散した波長多重光線として出射される。凹面ミラー６−１は、この出射された波長多重光線をコリメート光線またはほぼコリメート化された光線として反射し、反射素子４２−１に伝播させる。伝播した反射多重光線は、反射素子４２−１において再び反射され、光線分岐素子５２−１に入射する。
【００２３】
光線分岐素子５２−１に入射した波長多重光線は、光線分岐素子５２−１において特定の波長域を含む光線が透過されて単色光線となり、凹面ミラー６−２に伝播した後、凹面ミラー６−２において反射されるとともに集光され、光ファイバ２３−２を通って、光合分波器外部へ出力される。
【００２４】
光線分岐素子５２−１に入射した波長多重光線のうち特定の波長域以外の光線は、光線分岐素子５２−１により反射されて反射素子４２−２に伝播し、この反射素子４２−２で反射されて光線分岐素子５２−２に入射する。この光線分岐素子５２−２を透過した単色光線は、凹面ミラー６−３に入射し、この凹面ミラー６−３により殆どは光ファイバ２３−３へ反射され、残りは凹面ミラー６−３を透過して受光素子３２−２に入射する。
【００２５】
上述したような過程を光ファイバ２３−１〜２３−５，凹面ミラー６−１〜６−５，反射素子４２−１〜４２−４および光線分岐素子５２−１〜５２−３の間で繰り返すことにより、光ファイバ２３−１から入射された波長多重光線を、分波された複数の単色光線として光ファイバ２３−２〜２３−５から取り出すことができる。
【００２６】
なお、本実施形態に係る光合分波器を合波器として用いる場合には、上述した分波動作における波長多重光線および単色光線の進行方向を逆向きにすることにより実現することができる。すなわち、光合分波器の外部から、光ファイバ２３−２〜２３−５にそれぞれ単色光線を入力することで、その複数の単色光線を合波された波長多重光線として、光ファイバ２３−１から取り出すこととなる。
【００２７】
［光合分波器の製造方法］
次に、上述した光合分波器の製造方法について説明する。
【００２８】
本実施の形態にかかる光合分波器は、予め作成されたファイバユニット２を用いて製造される。まず、図６（ａ）に示すように、複数の光ファイバ２３を各一端を光軸に直行する方向に一列にそろえた状態で、下部保持基板２１の上面に形成された溝２１ａと上部保持基板２２の溝２２ａに挟むように接着固定する。これにより、図６（ｂ）に示すように、下部保持基板の溝２１ａと上部保持基板の溝２２ａとにより、光ファイバ２３の一端２３ａが突き出した形で挟まれるように保持されたファイバユニット２が作成される。
【００２９】
このようにして組み立てられたファイバユニット２は、メインブロック１に形成されたファイバユニット搭載部１６に搭載される。この搭載方法を図１１を参照して具体的に説明する。
【００３０】
まず、図１１（ａ）に示すように、ファイバユニット２をファイバユニット２３の突き出した一端２３ａが側壁部１２ａに対向させた状態で、メインブロック１のファイバユニット搭載部１６の平面部１６ｂの上方に配置する。
【００３１】
この状態から、図１１（ｂ）に示すように、ファイバ２３をメインブロック１の溝１４ａに沿わせながら、ファイバユニット２の下部保持基板２１を凹部１６ａの前端面１６ｄ側に、すなわち斜め下方に移動させる。このとき、上部保持基板２２の一端２３ａ側の端部（以下、下部前端部という）２３ｂを、ガイド部１６ｃの傾斜面１６ｆに当接させながら、ファイバユニット２を凹部１６ａ側に移動させるようにしてもよい。これにより、ファイバユニット２が所定の位置に案内される。
【００３２】
図１１（ｃ）に示すように、さらにファイバユニット２を移動させると、上部保持基板２２の一端２３ａ側の端部（以下、上部前端部という）２３ｂがガイド部１６ｃの傾斜面１６ｆに当接し、この傾斜面１６ｆに沿ってファイバユニット２を移動させると、下部保持基板２１の前端部２３ｂ側の端面が凹部１６ａの前端面１６ｄに突き当てる。このとき、一端２３ａ側の光ファイバ２３は、溝１４ａに沿って１２ａ側に移動する。このとき溝１４ａの軸線と光ファイバ２３の下部保持基板２１および上部保持基板２２とに挟まれて保持された部分の軸線とは、溝１４ａが開口した方向でから見ると一致し、その開口した方向および溝１４ａの軸線方向に対して直交する方向から見ると交差している。すなわち、溝形成部１４は、上述したように、平面部１３側に向かうに連れて上方に位置するように傾斜しているので、一端２３ａ側の光ファイバ２３は、撓むことにより発生する自身の弾性力によって溝１４ａ側に押圧された状態で移動することとなる。
【００３３】
このような状態から、図１１（ｄ）に示すように、下部保持基板２１の一端２３ａと反対側の端部（以下、下部後端部という）２３ｃを凹部１６ａ側に押下する。これにより、下部保持基板２１が凹部１６ａに収容される。このとき、上部保持基板２２の上部前端部２２ｂが、傾斜面１６ｆの溝形成部１４側の端部により凹部１６ａ側に押圧される。すると、下部保持基板２１の下部前端部２１ｂ側の端面は凹部１６ａの前端面１６ｄに、下部保持基板２１の下部後端部２３ｃ側の端面は凹部１６の後端面１６ｅに当接した状態となる。これにより、ファイバユニット２が所定の位置に保持される。
【００３４】
なお、これらの工程に先立って、凹部１６ａに接着剤を塗布するようにしてもよい。これにより、上述した工程により所定の位置にファイバユニット２を位置決めしたのち、接着剤を硬化させることにより、下部保持基板２を凹部１６ａに固定することができる。
【００３５】
このようにファイバユニット２をメインブロック１に搭載することにより、ファイバ２３は、撓むことにより発生する自身の弾性力によって溝１４ａの底部に向かって押し付けられるので、ファイバ２３の位置が略Ｖ字断面の溝１４ａに沿った正確な位置に配設される。
【００３６】
また、下部保持基板２１の前端部２１ｂ側の端面が凹部１６ａの前端部１６ｄに当接し、後端部２２ｂ側の端面が後端部１６ｅに当接し、かつ、上部保持基板２２の上面がガイド部１６ｃの傾斜面１６ｆにより凹部１６ａ側に押圧されることにより、ファイバユニット２は、正確に位置決めされている。このため、ファイバ２３の突き出し量が所定の量に調整されていれば、ファイバ２３の一端２３ａの位置も正確に位置決めされる。
【００３７】
また、メインブロック１側に押圧されたファイバ２３の弾性力によって、上部保持基板２２を上方に持ち上げる反力および後端部１６ｅ側に押し付ける反力が発生するが、ガイド部１６ｃの傾斜面１６ｆにより上部保持基板２２を上方から凹部１６ａ側に押圧する構造を有しているので、上部保持基板２２が持ち上がったり、下部保持基板２１とファイバユニット搭載部１６または下部保持基板２１と上部保持基板２２の間の接着剤が剥離したりするのを防ぐことができる。さらに、凹部１６ａの後端部１６ｅを設けることにより、下部保持基板２１が平面部１６ｂ側に位置ずれするのを防止することができる。
【００３８】
このようにしてファイバユニット２をファイバユニット搭載部１６に固定した後、フィルタブロック５および導波ミラーブロック４をメインブロック１に固定する。
【００３９】
フィルタブロック５は、光線分岐素子５２が設けられたのと反対側の面を、フィルタブロック保持部１７に形成された突起１７ａに当接させることにより位置決めする。このとき、フィルタブロック５の突起１７ａと対向する位置に、突起１７ａの形状に対応した凹部を形成しておくことにより、フィルタブロック５を正確に位置決めすることができる。このように位置決めした後、フィルタブロック５を、接着材によりメインブロック１に固定する。
【００４０】
導波ミラーブロック４は、接着面４１ｂをメインブロック１のミラーブロック保持部１８に当接させて、突起１８ａにより位置決めする。このとき、導波ミラーブロック４の突起１８ａに対向する位置に、突起１８ａの形状に対応した凹部を形成しておくことにより、導波ミラーブロック４を正確に位置決めすることができる。このように位置決めした後、導波ミラーブロック４を、接着剤によりメインブロック１に固定する。
【００４１】
このようにしてメインブロック１に、ファイバユニット２，導波ミラーブロック４をおよびフィルタブロック５が搭載されることにより、光合分波器が完成する。
【００４２】
以上説明したように、本実施の形態によれば、溝１４ａがファイバユニット搭載部１６から凹面ミラー６に向かって傾斜しているので、光ファイバ２３を溝１４ａに収容した状態で下部保持基板２１を凹部１６ａに搭載させると、光ファイバ２３が撓むことによる弾性力によって光ファイバ２３が１４ａ溝側に押圧されるので、接着剤等を用いなくても、光ファイバ２３を溝ａ内部に配設することができる。このため、温度変化により溝１４ａと光ファイバ２３の相対的な長さ等が変化しても、光ファイバ２３が溝１４ａに沿って摺動できるため、接着剤で溝１４ａと光ファイバ２３を固定する従来のように溝１４ａの膨張に伴って光ファイバ２３に引っ張り力がかからないので、光ファイバ２３が破断することを防ぐことができる。また、光モジュールの組み立て時に、光ファイバ２３を溝１４ａに接着材により固定しなくてよいので、この接着工程や押さえ板などが不要になり、組み立てが容易になる。
【００４３】
［第２の実施の形態］
次に、本発明の第２の実施の形態について説明する。本実施の形態は、光モジュールの一例として、複数の光ファイバを介して複数の光信号を受信する並列光受信機に関するものである。本実施の形態において、第１の実施の形態と同等の構成については、同じ名称および符号を付し、適宜説明を省略する。
【００４４】
本実施の形態に係る並列光受信機は、図１２，図１３に示すように、メインブロック１と、このメインブロック１上に搭載されるファイバユニット２と、メインブロック１に固定され複数の受光素子７２を有する受光素子アレイ７とから構成される。
【００４５】
メインブロック１は、図１２〜図１４に示すように、基部１１と、基部１１の端部に形成された３つの側壁部１２ａ，１２ｂ，１２ｃと、平面部１３と、溝形成部１４と、ファイバユニット搭載部１６とを備えている。ここで、溝形成部１４は、第１の実施の形態と同様、ファイバユニット搭載部１６から受光素子アレイ７に向かって傾斜している。
【００４６】
受光素子アレイ７は、平面視略矩形の保持部７１と、この保持部７１の表面に、保持部７１の長手方向に沿って所定間隔離間して配置された複数の受光素子７２とから構成される。この受光素子７２は、メインブロックの溝１４ａおよび光ファイバ２３と同じピッチで配列されている。このような受光素子アレイ７は、側壁部１２ａのメインブロック内部側面、すなわち基部１１に隣接する側面に、受光素子７２がファイバ２３の一端２３ａと対向するように固定される。
【００４７】
本実施の形態に係る並列光受信器は、並列光受信機の外部から入力された複数の信号光が、それぞれ光ファイバ２３を伝播し、並列光受信機内に導かれ、それぞれの光ファイバ２３の端面から受光素子アレイ７に形成された各受光素子７２に出射される。受光素子７２に照射された光信号は、受光素子７２において電気信号に変換される。変換された電気信号は、保持部７１に形成された電気信号線（図示せず）により、並列光受信機外部に取り出される。
【００４８】
このような並列光受信機は、メインブロック１の側壁部１２ａに受光素子アレイ７を接着剤等により固定した後、第１の実施の形態と同様、図１１（ａ）〜図１１（ｄ）で示したようにファイバユニット２をメインブロック１に固定することにより、作成することができる。
【００４９】
このような構造により、ファイバ２３の先端位置はメインブロック１に形成された溝１４ａによって正確に決められるため、受光素子アレイ７がメインブロック１の所定の位置に正しく搭載してあれば、ファイバユニット２３を精密に位置決めしてメインブロック１固定する必要なく、受光素子アレイ７と光ファイバ２３の先端の位置を正確に合わせることができる。
【００５０】
本実施の形態においても、溝１４ａがファイバユニット搭載部１６から受光素子７２に向かって傾斜しているので、光ファイバ２３を溝１４ａに収容した状態で下部保持基板２１を凹部１６ａに搭載させると、光ファイバ２３が撓むことによる弾性力によって光ファイバ２３が１４ａ溝側に押圧されるので、接着剤等を用いなくても、光ファイバ２３を溝ａ内部に配設することができる。このため、温度変化により溝１４ａと光ファイバ２３の相対的な長さ等が変化しても、光ファイバ２３が溝１４ａに沿って摺動できるため、接着剤で溝１４ａと光ファイバ２３を固定する従来のように溝１４ａの膨張に伴って光ファイバ２３に引っ張り力がかからないので、光ファイバ２３が破断することを防ぐことができる。また、光モジュールの組み立て時に、光ファイバ２３を溝１４ａに接着材により固定しなくてよいので、この接着工程や押さえ板などが不要になり、組み立てが容易になる。
【産業上の利用可能性】
【００５１】
本発明は、光合分波器や並列光受信機など、光ファイバを整列させた光ファイバアレイを用いて光信号の送受信を行う各種光モジュールに適用することができる。
【図面の簡単な説明】
【００５２】
【図１】本発明の光合分波器の構成を模式的に示す分解図である。
【図２】本発明の光合分波器の構成を模式的に示す斜視図である。
【図３】本発明の光合分波器の構成を模式的に示す平面図である。
【図４】図３のI-I線断面図である。
【図５】メインブロックの構成を示す斜視図である。
【図６】（ａ）はファイバユニットの構成を模式的に示す分解図、（ｂ）は平面図である。
【図７】（ａ）は導波ミラーブロックの構成を模式的に示す平面図、（ｂ）は側面図である。
【図８】（ａ）はフィルタブロックの構成を示す平面図、（ｂ）は（ａ）の反対側の面の平面図、（ｃ）は側面図である。
【図９】光合分波器の動作を模式的に説明する斜視図である。
【図１０】光合分波器の動作を模式的に説明する平面図である。
【図１１】（ａ）〜（ｄ）はファイバユニットの搭載方法を説明する断面図である。
【図１２】本発明の並列光受信機の構成を模式的に示す斜視図である。
【図１３】本発明の並列光受信機の構成を模式的に示す平面図である。
【図１４】本発明の並列光受信機の構成を模式的に示す斜視図である。
【図１５】従来の光合分波器の構成を示す分解図である。
【図１６】従来の光合分波器の構成を示す平面図である。
【符号の説明】
【００５３】
１…メインブロック、２…ファイバユニット、４…導波ミラーブロック、５…フィルタブロック、６…凹面ミラー、７…受光素子アレイ、１１…基部、１２ａ，１２ｂ，１２ｃ…側壁部、１３…平面部、１４…溝形成部、１４ａ…溝、１６…ファイバユニット搭載部、１６ａ…凹部、１６ｂ…平面部、１６ｃ…ガイド部、１６ｄ…前端面、１６ｅ…後端面、１６ｆ…傾斜面、２１…下部保持基板、２１ａ…溝、２１ｂ…下部前端部、２１ｃ…下部後端部、２２…上部保持基板、２２ａ…溝、２２ｂ…上部前端部、２３…光ファイバ、２３ａ…一端、４１…支持部、４１ａ…ミラー面、４１ｂ…接着面、４２…反射素子、４３…突起、７１…保持部、７２…受光素子。
【図１】
2008090137.tif 000003
【図２】
2008090137.tif 000004
【図３】
2008090137.tif 000005
【図４】
2008090137.tif 000006
【図５】
2008090137.tif 000007
【図６】
2008090137.tif 000008
【図７】
2008090137.tif 000009
【図８】
2008090137.tif 000010
【図９】
2008090137.tif 000011
【図１０】
2008090137.tif 000012
【図１１】
2008090137.tif 000013
【図１２】
2008090137.tif 000014
【図１３】
2008090137.tif 000015
【図１４】
2008090137.tif 000016
【図１５】
2008090137.tif 000017
【図１６】
2008090137.tif 000018